(57)【要約】【課題】本発明は、仮設足場を構成する妻側枠状体の横架材に床付き布わくと連係せしめつつ迅速、かつ、確実に起立状に取付けることが出来るのみならず、別途閉塞部を形成せしめることなく、妻側横架材と床付き布わくとの間の隙間を有効に閉塞せしめることが出来る、仮設足場用妻側幅木を提供するにある。【解決手段】仮設足場を構成する妻側横架材１２に起立自在とされた妻側幅木１ａ・１ｂ・１ｃであって、該妻側幅木１ａ・１ｂ・１ｃは所要の幅と長さを備えた方形体状幅木本体２ａ・２ｂと、横架材１２に掴持せしめるべく該幅木本体２ａ・２ｂの両側下端部に取付けられたつかみ金具３とよりなり、上記つかみ金具３は幅木本体２ａ・２ｂの長手方向に対して直交状に取付けられると共に、つかみ金具３の顎部には横架材１２に架設された床つき布わく１４の端部に当接掛止せしめるべく掛止部９が形成されている。【選択図】図１
2007247338.tif 000002
【特許請求の範囲】
【請求項１】
仮設足場を構成する妻側横架材に起立自在とされた妻側幅木であって、該妻側幅木は所要の幅と長さを備えた方形体状幅木本体と、横架材に掴持せしめるべく該幅木本体の両側下端部に取付けられたつかみ金具とよりなり、上記つかみ金具は幅木本体の長手方向に対して直交状に取付けられると共に、つかみ金具の顎部には横架材に架設された床つき布わくの端部に当接掛止せしめるべく掛止部が形成されてなることを特徴とする、仮設足場用妻側幅木。
【請求項２】
つかみ金具が幅木本体に固設されてなることを特徴とする、請求項１記載の仮設足場用妻側幅木。
【請求項３】
つかみ金具が幅木本体に回動自在に取付けられてなることを特徴とする、請求項１記載の仮設足場用妻側幅木。
【発明の詳細な説明】
【技術分野】
【０００１】
本発明は、建築現場などに仮設足場を構築せしめるさいに使用する仮設足場用妻側幅木に関し、さらに詳細には、仮設足場を構成する妻側横架材に床付き布わくと連係せしめつつ迅速、かつ確実に起立状に取付け、ボルト・ナットなどの施工用部品や工具類などの落下を有効に防止せしめることが出来る、仮設足場用妻側幅木に関する。
【背景技術】
【０００２】
一般に、建築現場などに仮設足場を構築せしめる場合には、建わく、あるいは、建材と横架材とからなる枠体など所要の枠状体を交さ筋かいにより所定間隔でもって自立せしめると共に、根がらみを取付け、隣あう枠状体間に床付き布わくを敷設状に架設せしめつつ順次上方に連結せしめる。そして、所要の個所に階段や手摺などの足場部材を取付けると共に、架設せしめた床付き布わくの桁側と妻側にはボルト・ナットなどの施工用部品や工具類などの落下を防止せしめるべく桁側幅木および妻側幅木を各々取付けて構築するものとされている。
【０００３】
ところで、上記仮設足場を構成する妻側幅木としては、特開２００３−２３９５３０号公報に記載されているように、所要の幅と長さを備えた方形体状幅木本体と、該幅木本体を枠状体に取付ける両側一対の取付け金具とよりなり、上記取付け金具は略板状取付け金具本体の上端部に枠状体を構成する脚柱に掴持せしめるクランプが、同下端に同横架材に当接掛止せしめる掛止部が各々形成されると共に、同中間部に幅木本体の端部を嵌合せしめる横断面略コ字形状の嵌合部が形成されたものが提案されている。
そして、上述の如く構成された従来の妻側幅木は、妻側枠状体を構成する横架材の両側に各々掛止部を当接掛止せしめつつ、クランプでもって同脚柱に掴持せしめることにより取付け金具を妻側枠状体に対向状に取付け、対向する嵌合部に幅木本体の両端を嵌合して取付けるものとされている。
【０００４】
また、実用新案登録第３０８４６７２号公報には、所要の幅と長さを備えた略方形体状幅木本体の両端部に各々その長手方向に向けて両側一対のつかみ金具が取付けられると共に、幅木本体の長手方向に沿ってその下端部に水平状の隙間用閉塞部が形成されたものが提案されている。
そして、上述の如く構成された従来の妻側幅木は、妻側枠状体を構成する両側の脚柱につかみ金具でもって掴持せしめることにより幅木本体を妻側枠状体に取付けると共に、妻側の横架材と床付き布わくとの間の隙間を閉塞部でもって閉塞せしめるものとされている
。
【特許文献１】特開２００３−２３９５３０号公報
【特許文献２】実用新案登録第３０８４６７２号公報
【発明の開示】
【発明が解決しようとする課題】
【０００５】
ところで、上記特開２００３−２３９５３０号公報記載の妻側幅木は、妻側枠状体に一々取付け金具を対向状に取付けたのち、対応する嵌合部に端部を嵌合せしめつつ取付けるものであるから、その取付け作業が非常に面倒で手間がかかり、極めて取付け能率が悪いのみならず、単に幅木本体の端部を嵌合部に嵌合せしめるにすぎないものであるから、取付け後において幅木本体がガタ付きやすく、しかも、幅木本体は単に略方形体状に形成されているにすぎないものであるから、妻側横架材と床付き布わくとの間に生起する隙間を閉塞することが出来ず、安全性の面においても問題があるものである。また、幅木本体と取付け金具とは各々別個独立に形成するものとされているから、その製作が面倒で手間がかかり、コストのアップを招来せしめるのみならず、運搬時や保管時などの取り扱いが煩雑となりやすいものである。
【０００６】
また、実用新案登録第３０８４６７２号公報記載の妻側幅木は、妻側枠状体の脚柱につかみ金具を掴持せしめつつ迅速、かつ、確実に取付けることが出来るのみならず、閉塞部により妻側横架材と床付き布わくとの間の隙間を有効に閉塞せしめることが出来るものである。
しかしながら、妻側枠状体の脚柱につかみ金具を掴持して取付けるものであるから、同じく同脚柱につかみ金具を掴持せしめつつ取付ける桁側幅木の端部に干渉されやすく、その取付けが非常に面倒となりやすいのみならず、幅木本体に閉塞部を別途形成せしめるものであるから、その製作が面倒でコストのアップを招来せしめるのみならず、全体として重量が大となり、その取扱いが非常に不便である。
【０００７】
本発明は従来の問題点を解決しようとするもので、仮設足場を構成する妻側枠状体の横架材に床付き布わくと連係せしめつつ迅速、かつ、確実に起立状に取付けることが出来るのみならず、別途閉塞部を形成せしめることなく、妻側横架材と床付き布わくとの間の隙間を有効に閉塞せしめることが出来る、仮設足場用妻側幅木を提供するにある。
【課題を解決するための手段】
【０００８】
上記の目的を達成するため、本発明の請求項１記載の発明は、仮設足場を構成する妻側横架材に起立自在とされた妻側幅木であって、該妻側幅木は所要の幅と長さを備えた方形体状幅木本体と、横架材に掴持せしめるべく該幅木本体の両側下端部に取付けられたつかみ金具とよりなり、上記つかみ金具は幅木本体の長手方向に対して直交状に取付けられると共に、つかみ金具の顎部には横架材に架設された床つき布わくの端部に当接掛止せしめるべく掛止部が形成されてなることを特徴とする、仮設足場用妻側幅木を要旨とするものである。
【０００９】
上記請求項１記載の発明において、つかみ金具は幅木本体に固設され、あるいは、回動自在に取付けられている。
【発明の効果】
【００１０】
本発明は上述のように構成されているから、つかみ金具の掛止部を妻側床付き布わくの端部に当接掛止せしめつつ、妻側枠状体の横架材につかみ金具を掴持せしめるという簡単な操作でもって妻側幅木を妻側枠状体に迅速、かつ、確実に起立状に取付けることが出来るのみならず、妻側幅木をつかみ金具でもって横架材に取付けるものであるから、自動的に妻側幅木が妻側横架材と床付き布わく端部との間の隙間上に位置するものとなり、ひいては、両者間の隙間を有効に閉塞せしめることが出来るものである。
【発明を実施するための最良の形態】
【００１１】
以下に、本発明を実施するための最良の形態を図面に示す一実施例に基づいて詳細に説明する。
【００１２】
図１乃至図６は本発明の第１実施例を示すもので、同図中、１ａは後記する妻側の建わく１０に起立状に取付け自在とされた仮設足場用金属製妻側幅木、２ａは該妻側幅木１ａを構成する所要の幅と長さを備えた横断面コ字形状の幅木本体、３は該幅木本体２ａの両側下端部に各々取付けられた両側一対のつかみ金具で、該各つかみ金具３は後記する妻側建わく１０の横架材１２に掴持せしめるべく幅木本体２ａの長手方向に対して直交状に板状取付け部材４を介してボルト・ナット５・６により固定状に取付けられている。７は上記つかみ金具３の一側面に各々上下一対のピン８を介して回動自在に取付けられた湾曲状のロック片、９は後記する妻側床付き布わく１４の端部に当接掛止せしめるべくつかみ金具３の顎部に切欠き形成された掛止部である。  
【００１３】
その他、１０は所要の仮設足場を構成する鳥居型建わく、１１・１２は該建わく１０を構成する脚柱と横架材、１３は建わく１０を連結して所定間隔毎に自立せしめる交さ筋かい、１４は自立せしめた建わく１０の横架材１２につかみ金具１５を介して敷設状に架設せしめる床付き布わく、１６は架設せしめた床付き布わく１４の側縁に沿って起立状に取付け自在とされたつかみ金具（図示略）付き桁側幅木である。
【００１４】
次に、上述の如く構成された妻側幅木１ａの取付け状態を図４乃至図６に基づいて説明する。
【００１５】
先ず、所要数の建わく１０を所定間隔毎に起立せしめつつ交さ筋かい１３により連結して自立せしめると共に、隣あう建わく１０の横架材１２間につかみ金具１５を介して床付き布わく１４を敷設状に架設せしめつつ、順次上方に連結せしめる。そして、順次架設せしめた床付き布わく１４の側縁に桁側幅木１６を沿わせつつ、つかみ金具を介して隣あう建わく１０の横架材１２に掴持して起立状に取付ける。しかるのち、妻側の床付き布わく１４端縁に各々妻側幅木１ａを沿わせつつ、つかみ金具３の掛止部９を妻側床付き布わく１４の端部に当接掛止せしめると共に、つかみ金具３を介して妻側建わく１０の横架材１２にに掴持して起立状に取付ける。このさい、妻側幅木１ａはつかみ金具３の掛止部９を妻側床付き布わく１４の端部に当接掛止せしめると共に、つかみ金具３を介して妻側建わく１０の横架材１２に掴持して起立状に取付けるものであるから、その取付け作業を迅速に能率よく行うことが出来るのみならず、妻側床付き布わく１４と連係して確実に起立保持せしめることが出来るものである。しかも、妻側幅木１ａを妻側床付き布わく１４の端縁に沿わせつつ、つかみ金具３でもって妻側横架材１２に取付けるものであるから、自動的に妻側幅木１ａが妻側横架材１２と床付き布わく１４との間の隙間上に位置するものであって、ひいては、両者間の隙間を有効に閉塞せしめることが出来るものである。
【００１６】
以下、順次建わく１０を上方に連結して床付き布わく１４を架設せしめると共に、桁側幅木１６および妻側幅木１ａを同様の操作でもって起立状に取付けるとよい。
【００１７】
図７及び図８は本発明の第２実施例を示す妻側幅木１ｂで、つかみ金具３が幅木本体２ａにヒンジ機構１７を介して回動自在に取付けられた点が上記第１実施例と相違し、他の部分は同一であり、同一符号は同一部分を示す。
【００１８】
上述の如く構成された妻側幅木１ｂは、上記妻側幅木１ａと同様に、妻側の床付き布わく１４端縁に各々妻側幅木１ｂを沿わせつつ、つかみ金具３の掛止部９を妻側床付き布わく１４の端部に当接掛止せしめると共に、つかみ金具３を介して妻側建わく１０の横架材１２に掴持して起立状に取付ける。このさい、つかみ金具３はヒンジ機構１７を介して回動自在とされているから、適宜つかみ金具３を回動せしめつつ調整して妻側横架材１２に掴持せしめることが出来るため、その取付け作業を容易に行なうことが出来る。しかも、不使用時には、つかみ金具３を図７に二点鎖線で図示するように、幅木本体２ａの長手方向に回動せしめることが出来るため、その保管や運搬に極めて至便である。
【００１９】
図９は本発明の第３実施例を示す妻側幅木１ｃで、該妻側幅木ｃを構成する幅木本体２ｂが所要の幅と長さを備えた横断面コ字形状の幅木部材１８に同相似形状の幅木部材１９がその長手方向に沿って伸縮自在に嵌合されると共に、所要の個所に止着ボルト２０でもって止着自在とされた点が前記第１実施例と相違し、他の部分は同一であり、同一符号は同一部分を示す。
【００２０】
上述の如く構成された妻側幅木１ｃは、幅木部材１８・１９を適宜伸縮せしめて所定の長さに設定せしめたのち、上記第１実施例と同様に、妻側の床付き布わく１４端縁に沿わせつつ、つかみ金具３の掛止部９を妻側床付き布わく１４の端部に当接掛止せしめると共に、つかみ金具３を介して妻側建わく１０の横架材１２に掴持して起立状に取付ける。このさい、妻側幅木１ｃは伸縮自在とされているから、寸法の異なる建わく１０においてもその長さを適正に調整して適用せしめることが出来るのみならず、不使用時には縮小せしめてコンパクトにまとめることが出来るため、その保管や運搬等に極めて至便である。  
【００２１】
なお、上記第３実施例において、つかみ金具３は幅木部材２ｂを構成する幅木部材１８
・１９の一端部にボルト・ナット５・６を介して固定状に取付けるものとされているが、これに限定されるものではなく、第２実施例と同様にヒンジ機構を介して回動自在に取付けてもよいものである。また、上記第１乃至第３実施例において、妻側幅木１ａ・１ｂ・１ｃは仮設足場を構成する建わく１０の横架材１２に取付けるものとされているが、これに限定されるものでなく、他の仮設足場を構成する横架材に取付けて使用に供することが出来るものである。
【図面の簡単な説明】
【００２２】
【図１】第１実施例の妻側幅木１ａを示す斜視図である。
【図２】第１実施例の妻側幅木１ａを示す正面図である。
【図３】第１実施例の妻側幅木１ａを示す側面図である。
【図４】第１実施例の妻側幅木１ａの使用状態を示す斜視図である。
【図５】第１実施例の妻側幅木１ａの使用状態を示す拡大正面図である。
【図６】図５のＡ−Ａ線に沿う断面図である。
【図７】第２実施例の妻側幅木１ｂを示す正面図である。
【図８】第２実施例の妻側幅木１ｂを示す一部破断拡大側面図である。
【図９】第３実施例の妻側幅木１ｃを示す正面図である。
【符号の説明】
【００２３】
１ａ・１ｂ・１ｃ  妻側幅木
２ａ・２ｂ    幅木本体
３    つかみ金具
９    掛止部
１０  建わく
１２  横架材
１４  床付き布わく
【図１】
2007247338.tif 000003
【図２】
2007247338.tif 000004
【図３】
2007247338.tif 000005
【図４】
2007247338.tif 000006
【図５】
2007247338.tif 000007
【図６】
2007247338.tif 000008
【図７】
2007247338.tif 000009
【図８】
2007247338.tif 000010
【図９】
2007247338.tif 000011